(57)【特許請求の範囲】
【請求項１】
開口部が設けられた収容部と、
前記開口部を開閉可能に前記収容部に接続された蓋部と、
前記収容部に接続された一対の背負いベルトと、
前記開口部に沿って前記収容部に接続された補強部と、
前記収容部に前記補強部を固定する固定部とを備え、
前記収容部は、前記一対の背負いベルトおよび前記蓋部が接続された背部と、前記背部に接続された第１マチ部と、前記背部に接続されかつ前記第１マチ部と向かい合うように配置された第２マチ部と、前記第１マチ部および前記第２マチ部に接続されかつ前記背部と向かい合うように配置された正面部とを含み、
前記補強部は、前記収容部の外側に配置された補強部材と、前記収容部の内側に配置された補強板とを含み、
前記補強部材は、前記第１マチ部に接続された前記背部の一方端部から前記第１マチ部、前記正面部、前記第２マチ部、前記第２マチ部に接続された前記背部の他方端部に至るように構成されており、
前記補強板は、前記背部の前記一方端部から前記他方端部に至るように構成されており、
前記固定部は、前記背部を貫通する複数の第１鋲を含み、
前記補強部材と前記補強板とが前記背部の前記一方端部および前記他方端部を挟んだ状態において、前記補強部材と前記補強板とは前記背部の前記一方端部および前記他方端部の各々で複数の前記第１鋲の各々によって固定されており、
前記補強部材は、前記第１マチ部に配置された第１部と、前記第２マチ部に配置された第２部と、前記正面部に配置された第３部と、前記背部の前記一方端部に配置された第４部と、前記背部の前記他方端部に配置された第５部とを含み、
前記第１部の一端は前記第３部に接続されており、前記第１部の他端は前記第４部に接続されており、
前記第２部の一端は前記第３部に接続されており、前記第２部の他端は前記第５部に接続されており、
前記第４部は、前記第１部の他端から前記第５部に向けて突き出しており、
前記第５部は、前記第２部の他端から前記第４部に向けて突き出している、ランドセル。
【請求項２】
前記蓋部と前記補強板とが前記背部の前記一方端部および前記他方端部ならびに前記補強部材を挟んだ状態において、前記蓋部と前記補強板とは前記背部の前記一方端部および前記他方端部の各々で複数の前記第１鋲の各々によって固定されている、請求項１に記載のランドセル。
【請求項３】
前記一対の背負いベルトを前記背部に取り付ける連結部材をさらに備え、
前記固定部は、前記背部を貫通する第２鋲を含み、
前記連結部材と前記補強板とが前記背部を挟んだ状態において、前記連結部材と前記補強板とは前記第２鋲によって固定されている、請求項２に記載のランドセル。
【請求項４】
前記第２鋲は、前記第１鋲よりも軸部の直径が大きい、請求項３に記載のランドセル。
【発明の詳細な説明】
【技術分野】
【０００１】
本発明は、ランドセルに関するものである。
【背景技術】
【０００２】
従来、ランドセルの収容部を補強する構造が提案されている。例えば、特開平１１−３１８５３３号公報（特許文献１）には、背板の内面側に配置された補強板を有するランドセルの背板の補強構造が記載されている。この補強板の上端部は、背板の上端に沿うように配置されている。
【先行技術文献】
【特許文献】
【０００３】
【特許文献１】特開平１１−３１８５３３号公報
【発明の概要】
【発明が解決しようとする課題】
【０００４】
上記公報に記載されたランドセルでは、補強板は背板の内面側に配置されているため、収容部の一対のマチ部および正面部は補強板によって補強されない。このため、ランドセルの収容部に設けられた開口部は、収容部の一対のマチ部および正面部では補強板によって補強されない。したがって、収容部に設けられた開口部は十分に補強されない。
【０００５】
本発明は上記課題に鑑みてなされたものであり、その目的は、収容部に設けられた開口部を十分に補強することができるランドセルを提供することである。
【課題を解決するための手段】
【０００６】
本発明のランドセルは、収容部と、蓋部と、一対の背負いベルトと、補強部と、固定部とを備えている。収容部には開口部が設けられている。蓋部は、開口部を開閉可能に収容部に接続されている。一対の背負いベルトは、収容部に接続されている。補強部は、開口部に沿って収容部に接続されている。固定部は、収容部に補強部を固定する。収容部は、背部と、第１マチ部と、第２マチ部と、正面部とを含んでいる。背部には一対の背負いベルトおよび蓋部が接続されている。第１マチ部は、背部に接続されている。第２マチ部は、背部に接続されかつ第１マチ部と向かい合うように配置されている。正面部は、第１マチ部および第２マチ部に接続されかつ背部と向かい合うように配置されている。補強部は、収容部の外側に配置された補強部材と、収容部の内側に配置された補強板とを含んでいる。補強部材は、第１マチ部に接続された背部の一方端部から第１マチ部、正面部、第２マチ部、第２マチ部に接続された背部の他方端部に至るように構成されている。補強板は、背部の一方端部から他方端部に至るように構成されている。固定部は、背部を貫通する複数の第１鋲を含んでいる。補強部材と補強板とが背部の一方端部および他方端部を挟んだ状態において、補強部材と補強板とは背部の一方端部および他方端部の各々で複数の第１鋲の各々によって固定されている。補強部材は、第１マチ部に配置された第１部と、第２マチ部に配置された第２部と、正面部に配置された第３部と、背部の一方端部に配置された第４部と、背部の他方端部に配置された第５部とを含んでいる。第１部の一端は第３部に接続されており、第１部の他端は第４部に接続されている。第２部の一端は第３部に接続されており、第２部の他端は第５部に接続されている。第４部は、第１部の他端から第５部に向けて突き出している。第５部は、第２部の他端から第４部に向けて突き出している。
【発明の効果】
【０００７】
本発明のランドセルによれば、補強部材と補強板とが背部の一方端部および他方端部を挟んだ状態において、補強部材と補強板とは背部の一方端部および他方端部の各々で複数の第１鋲の各々によって固定されている。このため、補強部の補強部材および補強板によって、背部、第１マチ部、正面部、第２マチ部において開口部を補強することができる。したがって、収容部に設けられた開口部を十分に補強することができる。
【図面の簡単な説明】
【０００８】
【図１】本発明の実施の形態に係るランドセルの背部側から見た概略斜視図である。
【図２】本発明の実施の形態に係るランドセルの蓋部が開いた状態での正面部側から見た概略斜視図である。
【図３】本発明の実施の形態に係るランドセルの正面部側から見た分解斜視図である。
【図４】図２のＩＶ−ＩＶ線に沿う断面図である。
【発明を実施するための形態】
【０００９】
以下、本発明の実施の形態について図に基づいて説明する。なお、以下の図においては、同一または相当する部分に同一の符号を付すものとし、重複する説明は繰り返さない。
【００１０】
図１〜図４を参照して、実施の形態に係るランドセル１００の構成について説明する。
【００１１】
図１および図２に示されるように、実施の形態に係るランドセル１００は、収容部１と、蓋部２と、一対の背負いベルト３と、補強部４と、連結部材５と、マチベルト６と、副収容部７と、固定部３０と、表地４０とを主に有している。
【００１２】
収容部１は、背部１ａと、第１マチ部１ｂと、第２マチ部１ｃと、正面部１ｄと、底部１ｅとを有している。収容部１には開口部ＯＰが設けられている。収容部１は、上端に開口部ＯＰを有している。収容部１は、開口部ＯＰに連通する収容空間ＩＳを有している。収容空間ＩＳは、背部１ａ、第１マチ部１ｂ、第２マチ部１ｃ、正面部１ｄおよび底部１ｅのそれぞれの内周面によって取り囲まれた空間である。収容部１は、開口部ＯＰを通して収容空間ＩＳに教科書等を収容可能に構成されている。
【００１３】
背部１ａには一対の背負いベルト３が接続されている。背部１ａには蓋部２が接続されている。背部１ａには、連結部材５が取り付けられている。一対の背負いベルト３のそれぞれは連結部材５を介して背部１ａに接続されている。
【００１４】
第１マチ部１ｂは、背部１ａに接続されている。第１マチ部１ｂは、背部１ａの外縁に接続されている。第２マチ部１ｃは、背部１ａに接続されている。第２マチ部１ｃは、背部１ａの外縁に接続されている。第２マチ部１ｃは、第１マチ部１ｂと向かい合うように配置されている。第１マチ部１ｂおよび第２マチ部１ｃは、底部１ｅを挟んで互いに向かい合うように配置されている。第１マチ部１ｂおよび第２マチ部１ｃの各々は、底部１ｅの両端から立ち上がるように構成されている。
【００１５】
正面部１ｄは、第１マチ部１ｂおよび第２マチ部１ｃに接続されている。正面部１ｄは背部１ａと向かい合うように配置されている。背部１ａと正面部１ｄとは、底部１ｅを挟んで互いに向かい合うように配置されている。底部１ｅは、収容部１の下端に配置されている。
【００１６】
蓋部２は、開口部ＯＰを開閉可能に収容部１に接続されている。具体的には、蓋部２は、収容部１の背部１ａの上端部に接続されており、背部１ａの上端部を基端にして開口部ＯＰを開閉可能に構成されている。図１に示されるように、蓋部２が閉じられた状態で、蓋部２は、収容部１の開口部ＯＰ、正面部１ｄおよび副収容部７を覆うことが可能に構成されている。また、図２に示されるように、蓋部２が開かれた状態で、蓋部２は、収容部１の開口部ＯＰ、正面部１ｄおよび副収容部７を露出させることが可能に構成されている。
【００１７】
蓋部２に接続部８を介して先端部９が接続されている。接続部８の根元は蓋部２に接続されており、接続部８の先端は先端部９に接続されている。先端部９は、収容部１の底部１ｅに取り付けられた保持部（図示せず）に着脱可能に構成されている。先端部９には、保持部（図示せず）の摘体と係合可能な係合孔が設けられている。
【００１８】
一対の背負いベルト３は、収容部１に接続されている。具体的には、一対の背負いベルト３のそれぞれの一端は、連結部材５を介して背部１ａの上端部に接続されている。なお、図１では、説明の便宜のため、一対の背負いベルト３はそれぞれの一端周辺のみが図示されており、一端周辺以外は図示されていない。一対の背負いベルト３のそれぞれの他端は、保持部（図示せず）を介して収容部１の底部１ｅに接続されている。一対の背負いベルト３は、左右に１本ずつ設けられている。一対の背負いベルト３は、使用者がランドセル１００を背負ったときに使用者の両肩に装着されるように構成されている。
【００１９】
補強部４は、収容部１の開口部ＯＰを補強するためのものである。補強部４は、開口部ＯＰに沿って収容部１に接続されている。補強部４は、収容部１の四面（四方）に配置されている。補強部４は、収容部１の四面を補強するように構成されている。補強部４は、収容部１の全周に亘って設けられている。補強部４は、収容部１の上端部に取り付けられている。
【００２０】
連結部材５は、一対の背負いベルト３を背部１ａに取り付けるように構成されている。連結部材５は、背部１ａの外側に配置されている。連結部材５は、背部１ａの上部に配置されている。
【００２１】
マチベルト６は、第１マチ部１ｂ、第２マチ部１ｃおよび正面部１ｄに配置されている。副収容部７は、正面部１ｄに対して収容空間ＩＳと反対側に配置されている。副収容部７は、文房具等を収容可能に構成されている。
【００２２】
図２および図３に示されるように、補強部４は、補強部材１０と、補強板２０とを含んでいる。補強部材１０は、収容部１の外側に配置されている。補強部材１０は表地４０で覆われている。なお、図３では説明の便宜のため、表地４０は図示されていない。補強板２０は、収容部１の内側に配置されている。補強部材１０および補強板２０の材料は、例えば、樹脂である。具体的には、補強部材１０および補強板２０の材料は、ポリプロピレン（ＰＰ）であってもよい。
【００２３】
補強部材１０は、収容部１の三面（三方）および背部１ａの一部に回り込むように配置されている。補強部材１０は、背部１ａの一部に回り込んだ状態で収容部１の三面を補強するように構成されている。補強部材１０は、背部１ａの一部、第１マチ部１ｂ、第２マチ部１ｃおよび正面部１ｄに取り付けられている。補強部材１０は、第１マチ部１ｂに接続された背部１ａの一方端部Ｅ１から第１マチ部１ｂ、正面部１ｄ、第２マチ部１ｃ、第２マチ部１ｃに接続された背部１ａの他方端部Ｅ２に至るように構成されている。背部１ａの一方端部Ｅ１および他方端部Ｅ２は、第１マチ部１ｂと第２マチ部１ｃとが向かい合う方向（左右方向）における背部１ａの一方側および他方側の端部である。
【００２４】
補強部材１０は、第１部１１と、第２部１２と、第３部１３と、第４部１４と、第５部１５とを含んでいる。第１部１１は、第１マチ部１ｂに配置されている。第２部１２は第２マチ部１ｃに配置されている。第３部１３は、正面部１ｄに配置されている。第４部１４は、背部１ａの一方端部Ｅ１に配置されている。第５部１５は、背部１ａの他方端部Ｅ２に配置されている。補強部材１０は一体的に構成されている。つまり、第１部１１と、第２部１２と、第３部１３と、第４部１４と、第５部１５とは、互いに連結されている。
【００２５】
第１部１１と第２部１２とは互いに向かい合うように配置されている。第１部１１および第２部１２は、第３部１３の両端に接続されている。第１部１１の一端は第３部１３に接続されており、第１部１１の他端は第４部１４に接続されている。第２部１２の一端は第３部１３に接続されており、第２部１２の他端は第５部１５に接続されている。第４部１４は、第１部１１の他端から第５部１５に向けて突き出している。第５部１５は、第２部１２の他端から第４部１４に向けて突き出している。第４部１４と第５部１５とは互いに間隔をあけて配置されている。
【００２６】
補強板２０は、背部１ａを補強するように構成されている。補強板２０は、背部１ａの変形を防止可能に構成されている。補強板２０は、背部１ａの一方端部Ｅ１から他方端部Ｅ２に至るように構成されている。補強板２０は、背部１ａの一方端部Ｅ１から他方端部Ｅ２に至るまで真っ直ぐに延在している。補強板２０は、本体部２１と、屈曲部２２とを有している。本体部２１は背部１ａの内側に配置されている。屈曲部２２は本体部２１の上端に接続されている。屈曲部２２は本体部２１の上端から背部１ａの外側に向けて屈曲している。屈曲部２２は、背部１ａの上端を覆っている。
【００２７】
固定部３０は、収容部１に補強部４を固定するように構成されている。固定部３０は、複数の第１鋲３１を含んでいる。本実施の形態では、第１鋲３１は２つ設けられている。２つの第１鋲３１の各々は、収容部１の背部１ａの一方端部Ｅ１および他方端部Ｅ２の各々に配置されている。固定部３０は、第２鋲３２を含んでいる。本実施の形態では、第２鋲３２は３つ設けられている。３つの第２鋲３２の各々は、収容部１の背部１ａの中央部ＣＰに配置されている。背部１ａの中央部ＣＰは、背部１ａの一方端部Ｅ１と他方端部Ｅ２との間に位置している。なお、第２鋲３２の数は、複数に限らず単数であってもよい。
【００２８】
図３および図４に示されるように、複数の第１鋲３１は、背部１ａを貫通するように構成されている。複数の第１鋲３１は、背部１ａの外側面と内側面とを貫通している。第２鋲３２は、背部１ａを貫通するように構成されている。第２鋲３２は、背部１ａの外側面と内側面とを貫通している。
【００２９】
補強部材１０と補強板２０とが背部１ａの一方端部Ｅ１および他方端部Ｅ２を挟んだ状態において、補強部材１０と補強板２０とは背部１ａの一方端部Ｅ１および他方端部Ｅ２の各々で複数の第１鋲３１の各々によって固定されている。補強部材１０の第４部１４と補強板２０とは、背部１ａの一方端部Ｅ１を挟んでいる。補強部材１０の第５部１５と補強板２０とは、背部１ａの他方端部Ｅ２を挟んでいる。この状態において、補強部材１０と補強板２０とは複数の第１鋲３１の各々によって互いに固定されている。本実施の形態では、補強部材１０と補強板２０とは、背部１ａの一方端部Ｅ１および他方端部Ｅ２の各々で複数の第１鋲３１の各々のみによって互いに固定されている。
【００３０】
蓋部２と補強板２０とが背部１ａの一方端部Ｅ１および他方端部Ｅ２ならびに補強部材１０を挟んだ状態において、蓋部２と補強板２０とは背部１ａの一方端部Ｅ１および他方端部Ｅ２の各々で複数の第１鋲３１の各々によって固定されている。蓋部２と補強板２０とは、背部１ａの一方端部Ｅ１および他方端部Ｅ２ならびに補強部材１０の第４部１４および第５部１５を挟んでいる。この状態において、蓋部２と補強板２０とは複数の第１鋲３１の各々によって互いに固定されている。本実施の形態では、蓋部２と補強板２０とは、背部１ａの一方端部Ｅ１および他方端部Ｅ２の各々で第１鋲３１のみによって互いに固定されている。
【００３１】
第１鋲３１および第２鋲３２の各々は、外側張出部Ｐ１と、内側張出部Ｐ２と、軸部Ｐ３とを有している。外側張出部Ｐ１および内側張出部Ｐ２は、軸部Ｐ３の両端に接続されている。外側張出部Ｐ１および内側張出部Ｐ２の各々は、軸部Ｐ３の径方向に軸部Ｐ３から張り出している。外側張出部Ｐ１および内側張出部Ｐ２の各々は、円板状に構成されている。軸部Ｐ３は、円柱状に構成されている。
【００３２】
収容部１の背部１ａの一方端部Ｅ１および他方端部Ｅ２に配置された２つの第１鋲３１の各々では、外側張出部Ｐ１は蓋部２の外側に配置されており、内側張出部Ｐ２は補強板２０の本体部２１の内側に配置されている。収容部１の背部１ａの一方端部Ｅ１に配置された第１鋲３１では、軸部Ｐ３は、収容部１の背部１ａに設けられた第１貫通孔Ｈ１、補強部材１０の第４部１４に設けられた第３貫通孔Ｈ３、補強板２０の本体部２１に設けられた第４貫通孔Ｈ４、蓋部２に設けられた第７貫通孔Ｈ７に挿入されている。
【００３３】
収容部１の背部１ａの他方端部Ｅ２に配置された第１鋲３１では、軸部Ｐ３は、収容部１の背部１ａに設けられた第１貫通孔Ｈ１、補強部材１０の第５部１５に設けられた第３貫通孔Ｈ３、補強板２０の本体部２１に設けられた第４貫通孔Ｈ４、蓋部２に設けられた第７貫通孔Ｈ７に挿入されている。外側張出部Ｐ１および内側張出部Ｐ２の各々の径は、第１貫通孔Ｈ１、第３貫通孔Ｈ３、第４貫通孔Ｈ４、第７貫通孔Ｈ７の孔径よりも大きい。
【００３４】
収容部１の背部１ａの一方端部Ｅ１および他方端部Ｅ２に配置された２つの第１鋲３１の各々では、軸部Ｐ３が第１貫通孔Ｈ１、第３貫通孔Ｈ３、第４貫通孔Ｈ４、第７貫通孔Ｈ７を貫通した状態において、軸部Ｐ３は外側張出部Ｐ１と内側張出部Ｐ２とを接続している。したがって、２つの第１鋲３１によって収容部１の背部１ａ、補強部４の補強部材１０および補強板２０が互いに固定されている。また、２つの第１鋲３１によって蓋部２、収容部１の背部１ａ、補強部４の補強部材１０および補強板２０が互いに固定されている。
【００３５】
連結部材５と補強板２０とが背部１ａを挟んだ状態において、連結部材５と補強板２０とは第２鋲３２によって固定されている。連結部材５と補強板２０とは、背部１ａの中央部ＣＰを挟んでいる。本実施の形態では、連結部材５と補強板２０とは、第２鋲３２のみによって互いに固定されている。
【００３６】
３つの第２鋲３２の各々では、外側張出部Ｐ１は連結部材５の外側に配置されており、内側張出部Ｐ２は補強板２０の本体部２１の内側に配置されている。また、３つの第２鋲３２の各々では、軸部Ｐ３は、収容部１の背部１ａに設けられた第２貫通孔Ｈ２、補強板２０の本体部２１に設けられた第５貫通孔Ｈ５、連結部材５に設けられた第６貫通孔Ｈ６に挿入されている。
【００３７】
３つの第２鋲３２の各々では、軸部Ｐ３が第２貫通孔Ｈ２、第５貫通孔Ｈ５、第６貫通孔Ｈ６を貫通した状態において、軸部Ｐ３は外側張出部Ｐ１と内側張出部Ｐ２とを接続している。したがって、３つの第２鋲３２によって収容部１の背部１ａ、補強部４の補強板２０、連結部材５が互いに固定されている。
【００３８】
第２鋲３２は、第１鋲３１よりも軸部Ｐ３の直径が大きい。例えば、第２鋲３２の軸部Ｐ３の直径は、第１鋲３１の軸部Ｐ３の直径の１．５倍以上２倍以下の寸法を有していてもよい。
【００３９】
次に、実施の形態に係るランドセル１００の作用効果について説明する。
【００４０】
実施の形態に係るランドセル１００によれば、補強部材１０と補強板２０とが背部１ａの一方端部Ｅ１および他方端部Ｅ２を挟んだ状態において、補強部材１０と補強板２０とは背部１ａの一方端部Ｅ１および他方端部Ｅ２の各々で複数の第１鋲３１の各々によって固定されている。このため、補強部４の補強部材１０および補強板２０によって、背部１ａ、第１マチ部１ｂ、正面部１ｄ、第２マチ部１ｃにおいて開口部ＯＰを補強することができる。つまり、補強部４の補強部材１０および補強板２０によって、収容部１の全周に亘って開口部ＯＰを補強することができる。したがって、収容部１に設けられた開口部ＯＰを十分に補強することができる。
【００４１】
さらに、補強部材１０と補強板２０とは背部１ａの一方端部Ｅ１および他方端部Ｅ２を挟んで複数の第１鋲３１の各々によって連結されている。このため、補強部材１０と補強板２０とが背部１ａを挟んで連結された構造の強度を向上させることができる。
【００４２】
また、実施の形態に係るランドセル１００によれば、蓋部２と補強板２０とが背部１ａの一方端部Ｅ１および他方端部Ｅ２ならびに補強部材１０を挟んだ状態において、蓋部２と補強板２０とは背部１ａの一方端部Ｅ１および他方端部Ｅ２の各々で複数の第１鋲３１の各々によって固定されている。このため、第１鋲３１によって背部１ａに蓋部２と補強板２０とを一緒に固定することができる。したがって、背部１ａに蓋部２と補強板２０とが別々に逢着などによって固定される場合に比べて、製造および修理が容易となる。また、補強板２０によって背部１ａとともに蓋部２を補強することができる。
【００４３】
また、実施の形態に係るランドセル１００によれば、連結部材５と補強板２０とが背部１ａを挟んだ状態において、連結部材５と補強板２０とは第２鋲３２によって固定されている。このため、第２鋲３２によって背部１ａに連結部材５と補強板２０とを一緒に固定することができる。したがって、背部１ａに連結部材５と補強板２０とが別々に逢着などによって固定される場合に比べて、製造および修理が容易となる。また、補強板２０によって背部１ａとともに連結部材５を補強することができる。
【００４４】
さらに、補強板２０にあわせて蓋部２および連結部材５を背部１ａに固定することで、蓋部２および連結部材５の位置合わせが容易となる。
【００４５】
また、実施の形態に係るランドセル１００によれば、第２鋲３２は、第１鋲３１よりも軸部Ｐ３の直径が大きい。連結部材５は一対の背負いベルト３に接続されているため、連結部材５には蓋部２に比べて大きな荷重がかかる。蓋部２と補強板２０とは第１鋲３１によって固定されており、連結部材５と補強板２０とは第２鋲３２によって固定されている。第２鋲３２は第１鋲３１よりも軸部Ｐ３の直径が大きいため、連結部材５に大きな荷重がかかっても第２鋲３２の変形を抑制することができる。また、蓋部２には連結部材５に比べて小さな荷重がかかるため、第２鋲３２よりも第１鋲３１の軸部Ｐ３の直径を小さくすることで、第１鋲３１の軽量化を図ることができる。したがって、第２鋲３２の変形を抑制しつつ第１鋲３１の軽量化を実現することができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４７】
１  収容部、１ａ  背部、１ｂ  第１マチ部、１ｃ  第２マチ部、１ｄ  正面部、１ｅ  底部、２  蓋部、３  ベルト、４  補強部、５  連結部材、６  マチベルト、７  副収容部、８  接続部、９  先端部、１０  補強部材、２０  補強板、３０  固定部、３１  第１鋲、３２  第２鋲、４０  表地、１００  ランドセル、Ｅ１  一方端部、Ｅ２  他方端部、ＩＳ  収容空間、ＯＰ  開口部、Ｐ１  外側張出部、Ｐ２  内側張出部、Ｐ３  軸部。
【要約】
【課題】収容部に設けられた開口部を十分に補強することができるランドセルを提供する。
【解決手段】ランドセル１００は、収容部１と、蓋部２と、一対の背負いベルト３と、補強部４と、固定部３０とを備えている。補強部４は、補強部材１０と、補強板２０とを含んでいる。補強部材１０は、背部１ａの一方端部Ｅ１から第１マチ部１ｂ、正面部１ｄ、第２マチ部１ｃ、背部１ａの他方端部Ｅ２に至るように構成されている。補強板２０は、背部１ａの一方端部Ｅ１から他方端部Ｅ２に至るように構成されている。固定部３０は、背部１ａを貫通する複数の第１鋲３１を含んでいる。補強部材１０と補強板２０とが背部１ａの一方端部Ｅ１および他方端部Ｅ２を挟んだ状態において、補強部材１０と補強板２０とは背部１ａの一方端部Ｅ１および他方端部Ｅ２の各々で複数の第１鋲３１の各々によって固定されている。
【選択図】図２【図１】
0006919015.tif 000002
【図２】
0006919015.tif 000003
【図３】
0006919015.tif 000004
【図４】
0006919015.tif 000005